(57)【特許請求の範囲】
【請求項１】
コンロ本体と、コンロ本体の上面を覆う天板と、天板に開設したバーナ用開口を通して天板上に突出するコンロバーナと、天板上にバーナ用開口を囲うようにして載置される五徳とを備えるガスコンロであって、天板に、バーナ用開口の周縁部に位置させて、五徳の環状の五徳枠が外嵌する環状隆起部が絞り成形されるものにおいて、
天板の下面に、環状隆起部から天板の一辺側にのびる補強部材が固定され、補強部材の天板の一辺側の端部に、上方に浮き上がらないようコンロ本体に係合する係合部が形成されることを特徴とするガスコンロ。
【請求項２】
請求項１記載のガスコンロであって、前記天板の後部に、前記コンロ本体内に組み込んだグリルの排気口が開設され、この排気口を覆う排気ガードが天板の後部上面に載置されると共に、排気ガードの下に位置する部分で天板がグリルの天井部にネジ止めされるものにおいて、前記補強部材がのびる天板の前記一辺側は天板の前辺側であることを特徴とするガスコンロ。
【発明の詳細な説明】
【技術分野】
【０００１】
本発明は、コンロ本体と、コンロ本体の上面を覆う天板と、天板に開設したバーナ用開口を通して天板上に突出するコンロバーナと、天板上にバーナ用開口を囲うようにして載置される五徳とを備えるガスコンロに関する。
【背景技術】
【０００２】
従来、この種のガスコンロとして、コンロバーナに外挿した状態で天板上に載置されるバーナリングを備え、このバーナリングに五徳の環状の五徳枠を外嵌させて、五徳を位置決めするものが知られている。また、天板に、バーナ用開口の周縁部に位置させて、五徳の環状の五徳枠が外嵌する上記バーナリングに相当する環状隆起部を絞り成形したガスコンロも知られている（例えば、特許文献１参照）。これによれば、バーナリングが不要になり、部品点数を削減してコストダウンを図ることができる。
【０００３】
然し、天板に環状隆起部を絞り成形すると、以下の不具合を生ずることが判明した。即ち、環状隆起部は、コンロバーナの火炎からの輻射熱により加熱されやすく、環状隆起部からの入熱で天板が熱膨張して、環状隆起部が上方に変位するように天板が変形しやすくなる。そして、環状隆起部が一旦上方に変位すると、火炎に近づくために、環状隆起部への入熱量が増加して、天板の熱膨張による環状隆起部の上方への変位量がかなり大きくなってしまう。そのため、コンロバーナの燃焼停止で天板が冷却収縮して初期状態に戻ろうとしたとき、大きな反転音が発生して使用者を驚かせてしまう。
【先行技術文献】
【特許文献】
【０００４】
【特許文献１】特開２０１３−５７４６１号公報
【発明の概要】
【発明が解決しようとする課題】
【０００５】
本発明は、以上の点に鑑み、バーナ燃焼時における環状隆起部の上方への変位を抑制して、冷却時に天板で大きな反転音が発生することを防止できるようにしたガスコンロを提供することをその課題としている。
【課題を解決するための手段】
【０００６】
上記課題を解決するために、本発明は、コンロ本体と、コンロ本体の上面を覆う天板と、天板に開設したバーナ用開口を通して天板上に突出するコンロバーナと、天板上にバーナ用開口を囲うようにして載置される五徳とを備えるガスコンロであって、天板に、バーナ用開口の周縁部に位置させて、五徳の環状の五徳枠が外嵌する環状隆起部が絞り成形されるものにおいて、天板の下面に、環状隆起部から天板の一辺側にのびる補強部材が固定され、補強部材の天板の一辺側の端部に、上方に浮き上がらないようコンロ本体に係合する係合部が形成されることを特徴とする。
【０００７】
本発明によれば、補強部材の端部の係合部が上方に浮き上がらないようにコンロ本体に係合するため、コンロバーナ燃焼時における環状隆起部の上方への変位が補強部材により抑制される。その結果、冷却時に天板で大きな反転音が発生することを防止できる。
【０００８】
ところで、天板の後部に、コンロ本体内に組み込んだグリルの排気口を開設し、この排気口を覆う排気ガードを天板の後部上面に載置すると共に、排気ガードの下に位置する部分で天板をグリルの天井部にネジ止めすることがある。この場合、冷却時に天板が前上がりに反り返って、天板の前辺部分がコンロ本体から浮き上がってしまう可能性がある。そのため、排気ガードの下に位置する天板の部分で天板をグリルの天井部にネジ止めする場合、補強部材がのびる天板の前記一辺側は天板の前辺側であることが望ましい。これによれば、補強部材が天板前辺側に位置する係合部でコンロ本体に係合することになり、冷却時の天板の反り返りで天板の前辺部分がコンロ本体から浮き上がることを確実に防止できる。
【図面の簡単な説明】
【０００９】
【図１】本発明の実施形態のガスコンロの斜視図。
【図２】実施形態のガスコンロの分解状態の斜視図。
【図３】実施形態のガスコンロの要部の拡大断面図。
【発明を実施するための形態】
【００１０】
図１を参照して、１は、本発明の実施形態のガスコンロを示している。このガスコンロ１は、コンロ本体２と、コンロ本体２の上面を覆う天板３と、天板３の左右２箇所に開設したバーナ用開口３１，３１を通して天板３上に突出する左右一対のコンロバーナ４，４と、天板３上にバーナ用開口３１，３１を囲うようにして載置される左右一対の五徳５，５と、コンロ本体２内に組み込んだグリル６とを備えている。コンロ本体２の前面には、各コンロバーナ４用と図示省略したグリルバーナ用の点消火ボタン２１と火力調節レバー２２とが配置されている。
【００１１】
また、図２も参照して、天板３の後部には、グリル６の天井部６１の後端に開口する排気流出口６２が臨む排気口３２が開設され、この排気口３２を覆う排気ガード７が天板３の後部上面に載置されている。そして、排気ガード７の下に位置する天板３の部分に固定孔３３を形成すると共に、グリル６の天井部６１の固定孔３３に合致する部分にネジ孔６３を形成し、固定孔３３を通してネジ孔６３に螺合するネジにより天板３をグリル６の天井部６１にネジ止めし、使用者が容易に天板３を取外すことができないようにしている。尚、ネジ止め箇所は排気ガード７で覆われて外観に現れず、体裁を損なうことはない。
【００１２】
各五徳５は、環状の五徳枠５１に放射状に複数の五徳爪５２を取付けて成るものである。また、天板３には、各バーナ用開口３１の周縁部に位置させて、環状隆起部３４が絞り成形されており、各五徳５の五徳枠５１を環状隆起部３４に外嵌させて、各五徳５を位置決めしている。
【００１３】
ところで、環状隆起部３４は、コンロバーナ４の火炎からの輻射熱により加熱されやすく、環状隆起部３４からの入熱で天板３が熱膨張して、環状隆起部３４が上方に変位するように天板３が変形しやすくなる。そして、環状隆起部３４が一旦上方に変位すると、火炎に近づくために、環状隆起部３４への入熱量が増加して、天板３の熱膨張による環状隆起部３４の上方への変位量がかなり大きくなってしまう。そのため、コンロバーナ４の燃焼停止で天板３が冷却収縮して初期状態に戻ろうとしたとき、大きな反転音が発生して使用者を驚かせてしまう。また、本実施形態の如く天板３が排気ガード７の下に位置する部分でグリル６の天井部６１にネジ止めされていると、冷却時に天板３が前上りに反り返って、天板３の前辺部分がコンロ本体２から浮き上がってしまう可能性がある。
【００１４】
そこで、本実施形態では、天板３の下面に、各環状隆起部３４から天板３の前辺側にのびる補強部材３５を溶接等で固定し、補強部材３５の天板３の前辺側の端部、即ち、前端部に、図２、図３に示す如く、上方に浮き上がらないようにコンロ本体２に係合する係合部３５ａを形成している。より具体的に説明すれば、補強部材３５を左右両側に下方への折り曲げ部３５ｂを有する断面コ字状の部材で構成し、補強部材３５の前端部に、各折り曲げ部３５ｂから前方に突出する爪片状の係合部３５ａを形成している。また、コンロ本体２の前面上端のフレーム２３に、各補強部材３５の係合部３５ａに対応するスリット２４を形成している。そして、係合部３５ａをスリット２４に挿入してから天板３を前方に少許ずらして、係合部３５ａをスリット２４より前方のフレーム２３部分の下面に上方に浮き上がらないように係合させ、この状態で天板３を固定孔３３においてグリル６の天井部６１にネジ止めする。
【００１５】
これによれば、コンロ本体２に対する係合部３５ａの係合で補強部材３５全体の上方への変位が防止され、そのため、環状隆起部３４がコンロバーナ４の燃焼時に上方に変位することを補強部材３５により抑制できる。その結果、冷却時に天板３で大きな反転音が発生することを防止できる。また、補強部材３５が天板３の前辺側に位置する係合部３５ａでコンロ本体２に係合することになり、冷却時の天板３の反り返りで天板３の前辺部分がコンロ本体２から浮き上がることを確実に防止できる。
【００１６】
以上、本発明の実施形態について図面を参照して説明したが、本発明はこれに限定されない。例えば、上記実施形態は、グリル付きであって、天板３後部をグリル６の天井部６１にネジ止めしているが、天板３後部をネジ止めしないグリル付きやグリル無しのガスコンロにも本発明を適用でき、この場合、補強部材３５は、環状隆起部３４から天板３の後辺側や左右一方の側辺側にのびていてもよい。
【符号の説明】
【００１７】
１…ガスコンロ、２…コンロ本体、３…天板、３１…バーナ用開口、３２…排気口、３３…固定孔（天板ネジ止め箇所）、３４…環状隆起部、３５…補強部材、３５ａ…係合部、４…コンロバーナ、５…五徳、５１…五徳枠、６…グリル、７…排気ガード。
【図１】
0006042841.tif 000002
【図２】
0006042841.tif 000003
【図３】
0006042841.tif 000004